(57)【要約】【課題】  ホームネットワーク内のコンテンツの再生を途中で停止した場合、ホームネットワーク外で簡単に再生できるようにする。【解決手段】  外部ネットワークと接続可能で、内部ネットワークを制御する通信制御装置であって、通信制御装置は、再生用情報を保持する第一の情報提供装置と再生用情報を再生する第一の情報再生装置とに接続され、第一の情報再生装置が再生停止指示を受けると、第一の情報提供装置から、再生停止指示以降のコンテンツデータを取得する。【選択図】      図１
2019054530.tif 000002
【特許請求の範囲】
【請求項１】
外部ネットワークと接続可能で、内部ネットワークを制御する通信制御装置による通信制御方法であって、
再生用情報を再生する第一の情報再生装置が再生停止指示を受けると、該第一の情報再生装置が前記再生用情報を保持する第一の情報提供装置に対して出す、前記再生用情報であるコンテンツデータを前記第一の情報提供装置から自装置へ移動させる命令により、前記第一の情報提供装置から、前記再生停止指示以降の前記コンテンツデータを取得する、
通信制御方法。
【請求項２】
外部ネットワークと接続可能で、内部ネットワークを制御する通信制御装置の通信プログラムであって、
再生用情報を再生する第一の情報再生装置が再生停止指示を受けると、該第一の情報再生装置が前記再生用情報を保持する第一の情報提供装置に対して出す、前記再生用情報であるコンテンツデータを前記第一の情報提供装置から自装置へ移動させる命令により、前記第一の情報提供装置から、前記再生停止指示以降の前記コンテンツデータを取得する、
ことを前記通信制御装置に実行させるソフトウェアである通信制御プログラム。
【発明の詳細な説明】
【技術分野】
【０００１】
本発明は、ホームネットワーク内に保存したコンテンツを再生するシステム、携帯端末、コンテンツ再生方法に関し、特にホームネットワーク外においてもコンテンツを再生可能なシステム、携帯端末、コンテンツ再生方法に関する。
【背景技術】
【０００２】
ホームネットワーク内のコンテンツは、ＤＬＮＡ（登録商標）（Ｄｉｇｉｔａｌ  Ｌｉｖｉｎｇ  Ｎｅｔｗｏｒｋ  Ａｌｌｉａｎｃｅ）などの技術を利用して再生を行った場合でも、ホームネットワーク内でしか再生できない。
【０００３】
例えば、図６に示すように、ホームネットワーク１０３内でＤＶＤレコーダ１０５に録画したコンテンツを再生する場合、ＤＬＮＡやＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）等の技術を利用してＳＴＢ（Ｓｅｔ  Ｔｏｐ  Ｂｏｘ）１０４やスマートフォン１０６で再生可能である。
【０００４】
また、インターネット網１０２からスマートフォン１０８などでホームネットワーク１０３内の録画コンテンツを再生する場合は、ＮＡＳ（Ｎｅｔｗｏｒｋ  Ａｔｔａｃｈｅｄ
Ｓｔｏｒａｇｅ）１０７などに録画コンテンツを移動した後に、自分の送ったパケットのプライベートアドレスとポートが、ルータによってどのグローバルＩＰアドレスとポートへ書き換わったのかを通知してもらうＳＴＵＮ（Ｓｉｍｐｌｅ  Ｔｒａｖｅｒｓａｌ
ｏｆ  ＵＤＰ  ｔｈｒｏｕｇｈ  ＮＡＴ）などの技術を利用することが考えられる。この技術を利用することにより、ＬＡＮ内でのみ通用するプライベートＩＰアドレスと、インターネット上のグローバルＩＰアドレスを１対１で相互変換する技術のＮＡＴ（Ｎｅｔｗｏｒｋ  Ａｄｄｒｅｓｓ  Ｔｒａｎｓｌａｔｉｏｎ）越え技術を利用すれば、再生可能である。
【０００５】
しかし、ホームネットワーク１０３内で再生中のコンテンツは一度、再生を停止した場合、続きから再生するにはホームネットワーク１０３内で再生する必要がある。これは、ＤＬＮＡが、ホームネットワーク内に限られた規格であるためである。ホームネットワーク１０３の外にあるスマートフォン１０８からインターネット網１０２経由で再生させるためには、ＮＡＳ１０７などにコンテンツを移動させて、ＮＡＴ越え等の技術を利用する必要がある。
【０００６】
ホームネットワークとインターネット網でのコンテンツ再生に関連する技術として、特許文献１及び特許文献２のような技術が開示されている。
【０００７】
特許文献１には、自宅内のネットワークに設置されたＤＬＮＡ対応機器が保存するコンテンツを外部から簡単に再生する技術が開示されている。すなわち、ネットワークに接続されているゲートウェイ装置が、利用可能なコンテンツリストに基づいてポートマッピングを設定し、携帯端末は、そのポートマッピングをコンテンツリストに変換し、コンテンツの配置情報を得て、コンテンツを再生する技術が開示されている。
【０００８】
また、特許文献２には、情報家電機器に蓄積されたコンテンツデータをきわめて短い時間で携帯端末へ転送することができる技術が開示されている。すなわち、携帯端末が、予め必要なコンテンツデータを情報家電機器からセットトップボックスへ転送させておき、セットトップボックスと携帯端末が接続されると必要なコンテンツデータが短時間で転送可能な技術が開示されている。
【先行技術文献】
【特許文献】
【０００９】
【特許文献１】特開２０１１−０９０４６９号公報
【特許文献２】特開２００８−１８６２０４号公報
【発明の概要】
【発明が解決しようとする課題】
【００１０】
特許文献１に記載の技術では、コンテンツを自宅外のネットワークから再生するには、ＨＧＷ（Ｈｏｍｅ  Ｇａｔｅ  Ｗａｙ）装置にポートマッピング手段を設けて携帯端末とやりとりをしなければならない、という課題があった。
【００１１】
特許文献２に記載の技術では、コンテンツデータは、ローカルネットワーク内に携帯端末を接続しないと送信できない、という課題があった。
【００１２】
本発明の目的は、上述した課題を解決し、ホームネットワーク内のコンテンツの再生を途中で停止した場合、ホームネットワーク外で簡単に再生できるようにすることにある。
【課題を解決するための手段】
【００１３】
本発明は、上記課題を解決するために、外部ネットワークと接続可能で、内部ネットワークを制御する通信制御装置であって、通信制御装置は、再生用情報を保持する第一の情報提供装置と再生用情報を再生する第一の情報再生装置とに接続され、第一の情報再生装置が再生停止指示を受けると、第一の情報提供装置から、再生停止指示以降のコンテンツデータを取得することを特徴としている。
【００１４】
また、本発明は、上記課題を解決するために、外部ネットワークと接続可能で、内部ネットワークを制御する通信制御装置と、通信制御装置に接続される、再生用情報を保持する第一の情報提供装置と通信制御装置に接続される、再生用情報を再生する第一の情報再生装置とを有し、第一の情報再生装置で再生停止指示を受けると、通信制御装置は、第一の情報提供装置から、再生停止指示以降のコンテンツデータを取得することを特徴としている。
【００１５】
また、本発明は、上記課題を解決するために、情報再生装置を備えた携帯端末であって、携帯端末がローカルネットワーク内に存在するときに途中まで再生していたコンテンツをローカルネットワーク外で再生するのに用いる再生指示用情報を保持し、コンテンツの少なくとも未再生部分を記録した情報再生装置を備えローカルネットワーク外と接続可能な通信制御装置に再生指示用情報を送信してコンテンツデータを受信し、情報再生装置でコンテンツデータを再生することを特徴としている。
【００１６】
また、本発明は、上記課題を解決するために、ローカルネットワーク内に、コンテンツデータを供給する第１の情報提供装置と、コンテンツデータを再生する第１の情報再生装置と、インターネットと接続し第２の情報再生装置を備える通信制御装置とを有し、第１の情報再生装置で再生していたコンテンツデータが途中で再生を停止された場合、コンテンツデータの少なくとも残りの部分を、第１の情報提供装置から第２の情報提供装置へ移動またはコピーするステップと、移動したコンテンツデータをローカルネットワーク外の第２の情報提供装置で再生するステップとを有することを特徴としている。
【発明の効果】
【００１７】
本発明によれば、ホームネットワーク内のコンテンツの再生を途中で停止した場合、ホームネットワーク外で簡単に再生できるという効果がある。
【図面の簡単な説明】
【００１８】
【図１】本発明の実施形態におけるコンテンツ再生システムの構成を示すブロック図である。
【図２】本発明の実施形態におけるコンテンツ再生システムの各装置の詳細を示すブロック図で、（ａ）はＤＭＰ、（ｂ）はＨＧＷ、（ｃ）はスマートフォンの詳細を示すブロック図である。
【図３】本発明の第１の実施形態におけるコンテンツ再生システムの各装置のシーケンスを示す図である。
【図４】本発明の第１の実施形態におけるコンテンツ再生システム内で通知される情報を示す図である。
【図５】本発明の第２の実施形態におけるコンテンツ再生システムの示すブロック図である。
【図６】本発明に関連するコンテンツ再生システムの構成を示すブロック図である。
【発明を実施するための形態】
【００１９】
以下、本発明の実施形態について図面を参照して詳細に説明する。
【００２０】
（第１の実施形態）
図１を用いて、本発明の第１の実施形態であるコンテンツ再生システムの構成を説明する。図１は、本実施形態であるコンテンツ再生システムの構成を示すブロック図である。
【００２１】
図１において、ローカルネットワークとしてのホームネットワーク２０３内には、ＨＧＷ２０１があり、ＨＧＷ２０１には、ＳＴＢ２０４、ＤＶＤレコーダ２０５、スマートフォン２０６等が接続されている。また、ホームネットワーク２０３は、インターネット網２０２に接続され、インターネット網２０２には、スマートフォン等が接続されている。
【００２２】
さらに、本実施形態では、ＤＭＳ（Ｄｉｇｉｔａｌ  Ｍｅｄｉａ  Ｓｅｒｖｅｒ）や、ＤＭＰ（Ｄｉｇｉｔａｌ  Ｍｅｄｉａ  Ｐｌａｙｅｒ）について記述しているので、簡単に説明する。
【００２３】
ＤＭＳと認識される機器とは、画像や音声、動画などのデータを記録・蓄積し、ネットワークなどを通じて別の機器から要求に応じて送信・配信するコンピュータプログラムに従って演算を行う装置であり、装置やソフトウェアが持つそのような機能も示す。
【００２４】
ＤＭＰと認識される機器とは、フラッシュメモリーやハードディスクを内蔵し、デジタル化された音楽・動画データを記録・再生する機器である。
【００２５】
ここでは、ＨＧＷ２０１は、ＤＭＳ２１１として認識され、ＤＶＤレコーダ２０５は、ＤＭＳ２１５として認識されている。
【００２６】
また、ＳＴＢ２０４は、ＤＭＳが提供するコンテンツを見つけ、再生やレンダリング機能を提供する機能であるＤＭＰ（Ｄｉｇｉｔａｌ  Ｍｅｄｉａ  Ｐｌａｙｅｒ）２１４と認識されている。これらの装置における、ＤＭＰ、ＤＭＳとは、状況に応じて認識される機能が変動する場合もある。スマートフォン２０６はＤＭＰ２１６、スマートフォン２０７はＤＭＰの機能を果たすことができるアプリケーション２１７を有している。
【００２７】
ここで、スマートフォン２０６とスマートフォン２０７は、同一のもので、ホームネットワーク内にあるものをスマートフォン２０６、ユーザが外出するなどしてホームネットワーク外に出て、インターネット網に接続されているものをスマートフォン２０７として区別して説明する。
【００２８】
スマートフォンは、ホームネットワーク内におけるＤＭＰとしての機能を備えることが可能なアプリケーションであるＤＭＰアプリケーションを有しており、ホームネットワーク内では、ＤＬＮＡプロトコルを利用し、ＤＭＰとして機能する。
【００２９】
また、ＤＭＳやＤＭＰの機能は、ハードウェアで構成されていても良いし、ソフトウェアで構成されていても良い。また、ＤＭＳとして機能する各装置は、サーバーとして保持する各種データを記録するためのＨＤＤやメモリなどの記憶部を有している。メモリとしては内蔵のＨＤＤ、メモリ以外にも、外付けのＨＤＤ、ＵＳＢメモリ等も用いることが出来る。
【００３０】
ホームネットワーク２０３内でＤＶＤレコーダ２０５内のＤＭＳ２１５に格納されたコンテンツを一旦ＨＧＷ２０１にデータ送信して、ＨＧＷ２０１を介してＳＴＢ２０４にデータ送信し、ＳＴＢ２０４で再生したとする。ここで、ＤＶＤレコーダ２０５で再生中のコンテンツが途中でユーザの操作または他の動作により停止させられた場合、そのコンテンツは、ＳＴＢ２０４により、ＨＧＷ２０１のＤＭＳ２１１へデータ送信される。
【００３１】
ここで、データ送信されるデータとは、停止させられた時点から以降のデータであってもよいし、実質的に以降の再生が可能な範囲であれば、その時点を含む所定期間内であれば、どの時点であってもよい。
【００３２】
これらの再生停止動作以降において、これらの動作は、それぞれの装置がコンテンツの状態を認識して、以降の再生動作を再開させるための装置へ指示を出してもよいし、本システムが自動で処理を行ってもよい。
【００３３】
また、本システムでは、再生装置（ＤＶＤレコーダ）での停止指示があると、再生状況（どこまで再生したか）やインターネット網２０２から再生するためのＵＲＬなどの情報を、ＨＧＷ２０１が、スマートフォン２０６へ送付する。
【００３４】
スマートフォン２０６は、インターネット網２０２へ移動して、スマートフォン２０７となった場合でも、ＨＧＷ２０１のＤＭＳ２１１に接続し、ＤＭＳ内のコンテンツをインターネット網を介して取得して再生が可能となる。ここでコンテンツの取得とは、コンテンツをコピーしてもよいし、移動させてもよい。これにより、ホームネットワーク２０３内のコンテンツであっても、継続して再生可能となる。
【００３５】
スマートフォン２０６は、ＨＧＷ２０１及び当該ＨＧＷ２０１を含むホームネットワーク内各装置と接続可能となるＤＭＰアプリケーションを備えている。そして、当該アプリケーションを利用することにより、ホームネットワーク外となるインターネット網２０２へ移動して、スマートフォン２０７となった場合でも、当該アプリケーションにより、ＤＭＳ２１１として機能するＨＧＷ２０１に接続が可能であり、ＨＧＷ２０１も、ＤＭＰであった装置として認識することが可能である。そして、スマートフォン２０７は、ＨＧＷ２０１内のコンテンツをインターネット網を介して取得し、再生が可能となる。これにより、ホームネットワーク２０３内のコンテンツであっても、継続して再生可能となる。
【００３６】
図２を用いて、使用する機器の詳細について説明する。図２は、本発明の第１の実施形態に示される機器の構成を示すブロック図である。（ａ）はＳＴＢ、（ｂ）はＨＧＷ、（ｃ）はスマートフォンの構成を示す。なお図２とその説明では本発明に係わる機能だけを説明しており、その他の一般的な機能は図示と説明を省略している。
【００３７】
図２において、ＳＴＢ２０４は、ＤＭＰ２１４を備え、ＤＭＰ２１４は、ＤＬＮＡ制御手段２２４と、第１の再生情報管理制御手段２４４とを備えている。ＤＬＮＡ制御手段２２４は、ＤＭＰ制御手段２３４を備えている。
【００３８】
同様に、スマートフォン２０７は、ＤＭＰとするアプリケーションを備え、ＤＭＰは、ＤＬＮＡ制御手段２２７と、第２の再生情報管理制御手段２４７とを備えている。ＤＬＮＡ制御手段２２７は、ＤＭＰ制御手段２３７を備えている。
【００３９】
また、ＨＧＷ２０１は、ＤＭＳ２１１の機能を有し、ＤＭＳ２１１であるＨＧＷ２０１は、ＤＬＮＡ制御手段２２１と、記憶部２４１とを備えている。ＤＬＮＡ制御手段２２１は、ＤＭＳ制御手段２３１を備えている。
【００４０】
ＳＴＢ２０４は、ＤＭＰ制御手段２３４を用いて、ホームネットワーク内のＤＶＤレコーダ２０５内の第１のＤＭＳ２１５に存在するコンテンツを再生する。ＤＭＰ制御手段２３４は、アプリケーションソフトウェアであり、ホームネットワーク内では、ＤＬＮＡプロトコルを使用して
ＤＭＰとしてコンテンツを再生する。
【００４１】
ＤＭＰ制御手段２３４では、再生停止命令が来たら、ＤＭＳ２１５に対して再生停止命令を出すと共に、ＨＧＷ２０１のＤＭＳ２１１へコンテンツのＭｏｖｅ命令を出す。ＳＴＢ２０４の第１の再生情報管理制御手段２４４は、ＳＴＢ２０４のＤＭＰ制御手段２３４で停止を行った時間やコンテンツ情報を管理し、スマートフォン２０６へ情報を送信する。ＨＧＷ２０１のＤＭＳ制御手段２３１は、ＤＶＤレコーダ２０５へのＭｏｖｅ命令に対応して、ＨＧＷ２０１が備える、あるいは、接続している記憶部２４１にコンテンツを保存する。
【００４２】
ユーザがホームネットワーク外へ移動した場合、コンテンツの続きを再生する際には、スマートフォン２０７内の第２の再生情報管理制御手段２４７に上記で送られたコンテンツ情報や停止時間情報を使用する。コンテンツ情報や停止時間情報を元に、スマートフォン２０７内のＤＭＰ制御手段２３７は、ＨＧＷ２０１のＤＭＳ制御手段２３１に対して再生命令を出す。ＤＭＰ制御手段２３７は、ＤＭＰ制御手段２３４と同じアプリケーションソフトウェアであり、ホームネットワーク外では、ＴＣＰ／ＩＰ等を利用してＨＧＷ２０１にアクセスし、ビデオプレーヤとしてコンテンツを再生する。
【００４３】
図１〜図４を用いて、本実施形態の動作を説明する。
【００４４】
図３は、本実施形態のシーケンスを示す図である。図４は、本実施形態のＳＴＢの再生情報管理制御手段が、スマートフォンへ通知する情報である。
【００４５】
ホームネットワーク２０３内にあるＳＴＢ２０４やスマートフォン２０６は、ＤＬＮＡなど既存の技術を利用してホームネットワーク２０３内にあるＤＶＤレコーダ２０５に格納しているコンテンツを再生可能である。この場合、ＤＶＤレコーダ２０５がＤＭＳとなり、ＳＴＢ２０４やスマートフォン２０６がＤＭＰとなる。
【００４６】
仮にＳＴＢ２０４にて再生する場合、図３のシーケンスのように、まずＳＴＢ２０４は、機器の存在を認識するＭ−Ｓｅａｒｃｈメッセージを出し、ＳＴＢ２０４は、ホームネットワーク内にある機器を検索（ＤＭＳ検索）する。このメッセージに対し、ＤＶＤレコーダ２０５がＤＭＳとして応答した場合、ＤＶＤレコーダに対して、ＳＴＢ２０４は機器情報を要求し、その機器内に存在するコンテンツのリストを要求する。コンテンツリストからユーザはＤＭＰであるＳＴＢ２０４にて再生したいコンテンツの再生要求を行い、コンテンツ再生を開始する（Ｓ３０１）。この図３の（Ｓ３０１）のシーケンスはＤＬＮＡの既存の再生方法である。
【００４７】
コンテンツ再生中に再生を停止した場合、図３の（Ｓ３０２）のシーケンスのようにＳＴＢ２０４は、ＤＶＤレコーダ２０５に対して、再生停止要求を出す。その際に、ＳＴＢ２０４は、ＤＶＤレコーダ２０５に対し、ＤＭＳ２１１と認識されたＨＧＷ２０１へコンテンツのコピーをするよう要求する。この要求を受けてＤＶＤレコーダ２０５は、ＨＧＷ２０１へコンテンツをコピーする（Ｓ３０２）。
【００４８】
次に、図３の（Ｓ３０３）のシーケンスのように、ＳＴＢ２０４は、スマートフォン２０６に対して図４に記載したコンテンツの再生情報やＤＭＳ２１１として認識されるＨＧＷ２０１への格納位置を通知する（Ｓ３０３）。
【００４９】
通知する情報は、図４に示すように、コンテンツタイトル、ホームネットワークのＩＰアドレスとＤＭＳの記憶部等の格納先で示される格納位置、再生状況（コンテンツのどこで再生を停止したか）、ユーザＩＤ、ワンタイムパスワード等である。ここでは、これらをまとめて再生情報と呼ぶ。
これは、既存のＵＰｎＰ（Ｕｎｉｖｅｒｓａｌ  Ｐｌｕｇ  ａｎｄ  Ｐｌａｙ）の技術を拡張すれば実現可能となる。例えば、ＵＰｎＰのアドレッシング機能を拡張して、ホームネットワークのＩＰアドレスを認識できるようにする。またユーザＩＤやワンタイムパスワードも通知することで、他のユーザからのアクセスを制限することも可能である。
このパスワードはホームネットワーク２０３内で通知されるので、セキュリティ上の安全も図ることができる。
【００５０】
インターネット網２０２に移動したスマートフォン２０７は、通知されたコンテンツの場所や再生していた情報を示す再生指示用情報を利用して、ＨＧＷ２０１に格納されたコンテンツの再生を開始することが可能となる。
【００５１】
以上説明したように、本実施形態によれば、ホームネットワーク内のコンテンツを、一度、再生を停止し、続きから再生する際に、ホームネットワーク外に出た場合でも、インターネット網を経て、携帯端末等を用いて簡単に再生可能となる。
【００５２】
なお本実施形態では、各装置において、ＤＭＳ或いはＤＭＰの中に、ＤＭＳ制御手段やＤＭＰ制御手段等を配置したが、同じ装置内であれば、更に機能として接続されていれば、どこに配置されていてもよい。
【００５３】
また、ＤＭＳやＤＭＰの機能を備える装置として、ＳＴＢ、ＤＶＤレコーダ、スマートフォン等を用いて説明したが、同様の機能を備える装置ならば、いかなるものでもよい。更に、本実施形態では第２のＤＭＳにはコンテンツの未再生部分だけコピーしている。しかし、コンテンツ全体をコピーしてもよい。この場合も図４に示した情報は同様にスマートフォン２０７に通知する。全体をコピーすると、ユーザは未再生部分だけ再生しても良いし、既再生部分を再度再生することもできる。
【００５４】
また、本実施形態ではコンテンツをコピーし、元々の記憶領域（本実施形態ではＤＶＤレコーダー）にそのコンテンツを残しているが、再度再生するつもりがなければ移動させ、元々の記憶領域から削除してもよい。
【００５５】
（第２の実施形態）
図５を用いて、本発明の第２の実施形態であるコンテンツ再生システムの構成を説明する。図５は、本第２の実施形態であるコンテンツシステムの構成を示すブロック図である。
【００５６】
図５において、ホームネットワーク６０３内には、ＨＧＷ６０１があり、ＨＧＷ６０１には、ＳＴＢ６０４、ＤＶＤレコーダ６０５、スマートフォン６０６が接続されている。また、ホームネットワーク６０３は、インターネット網６０２に接続され、インターネット網６０２には、スマートフォン６０７等が接続されている。本実施形態では、ＤＶＤレコーダ６０５がＨＧＷ６０１ではなく、ＳＴＢ６０４に接続されている点が、第１の実施形態と異なる。
【００５７】
さらに、ＨＧＷ６０１は、ＤＭＳ６１１の機能を有しており、ＳＴＢ６０４は、ＤＭＰ６１４の機能を、ＤＶＤレコーダ６０５はＤＭＳ６１５の機能を、スマートフォン６０６はＤＭＰ６１６の機能を有している。そして、スマートフォン６０７は、ＤＭＰの機能を有するアプリケーション６１７を備えている。ここで、ＤＭＳやＤＭＰの機能は、ハードウェアで構成されていても良いし、ソフトウェアで構成されていても良い。また、ＤＭＳの機能を有する機器は、ＨＤＤやメモリなどの記憶部を有している。
【００５８】
図５のように、ＳＴＢ６０４とＤＶＤレコーダ６０５がＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルにて接続されている構成となった場合、ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ  Ｃｏｎｓｕｍｅｒ  Ｅｌｅｃｔｒｏｎｉｃｓ
Ｃｏｎｔｒｏｌ）の規格を用いてコンテンツのコピー要求を行っても良い。ＨＤＭＩ−ＣＥＣは各メーカが独自で拡張を行うことが可能である。ＵＰｎＰで対応出来ていなくてもコンテンツコピーが可能となる。
【００５９】
（第３の実施形態）
上述の説明では、再生装置（ＤＭＰ）で再生を停止する場合とは、再生装置で停止指示を受けた場合などとして記載したが、再生停止指示を特に二種設けてもよい。
【００６０】
例えば、再生装置の有する操作部やリモコンなどに、通常の再生停止ボタンに加え、ＨＧＷ配下から出る、つまり、宅内を出て屋外で視聴することを想定した、『外出先で見る』等とするボタンを配置してもよい。
【００６１】
ユーザは、ＳＴＢ６０４でコンテンツを再生中、外出等を想定して、第二の再生停止指示である、「外出先で見る」等とする第二のボタンの操作がなされた場合には、ＤＭＰとする再生装置は、ＤＭＳとして認識されているＤＶＤレコーダ等に停止命令と、停止指示以降の再生用データの移動指示を出す。
【００６２】
この移動指示により、対象コンテンツがＨＧＷ６０１に移動し、ホームネットワーク外のスマートフォンから再生させることが可能となる。
【００６３】
その一方で、通常の再生停止ボタンの押下等の指示で有った場合、再生装置は、停止命令を出す一方で、移動指示は行わない。これは、停止指示以降の再生データは、継続して宅内で視聴することを示しており、ユーザは、再生装置に対し、再生指示を行うことにより、停止指示以降の再生データを視聴することが可能となる。
【００６４】
これにより、ＨＧＷ装置に対し、データ移行等の処理を省略することが可能となり、通信負荷等を減らすことが可能となる。
【００６５】
（第４の実施形態）
また、上記の二種の再生停止指示操作があることに加え、さらに、再生停止指示を行う場合に停止指示以降のデータの移行先を決定することも可能である。
【００６６】
例えば、ユーザは、ノートＰＣ等の装置を宅内から持ち出して、視聴する場合もある。
【００６７】
ノートＰＣ等、記憶容量に余裕のある装置を持ち出すことが再生停止時に想定できる場合、ユーザは、再生装置の有する操作部やリモコンを介して、データ移行先を変更することが可能である。すなわち、操作媒体を介して、第二の再生停止指示とは別の第三の再生停止指示と、外出時に持参する装置を指定することが可能である。
【００６８】
外出時に持参する装置として、再生していた装置が指定された場合、ＳＴＢ６０４は、当該再生停止指示の対象となるコンテンツの移動指示を行わない。なぜならば、そのまま再生していた装置を持ち出すことが想定され、その装置をホームネットワーク外でそのまま再生を継続することが可能であるからである。
【００６９】
そして、外出時に持参する装置として他の装置が指定された場合、ＳＴＢ６０４は、ＨＧＷではなく、当該他の装置にデータを移行させることも可能である。
【００７０】
これにより、持ち出した装置で再生させることにより、屋外からＨＧＷ装置にアクセスすることなく継続的な視聴が可能である。これによりインターネット網アクセスによる通信負荷を軽減することが可能となる。
【００７１】
また、外に持ち出す装置を指定することにより、ＨＧＷにデータを移行させる場合とさせない場合を区別することが可能であり、させない場合には、ＨＧＷ装置のデータ保持を行う負荷を軽減させることが可能となる。
【００７２】
以上説明したように、本実施形態によれば、ホームネットワーク内のコンテンツを、一度、再生を停止し、続きから再生する際に、ホームネットワーク外に出た場合でも、インターネット網を経て、携帯端末等を用いて簡単に再生可能となる。
【００７３】
尚、本願発明は、上述の実施形態に限定されるものではなく、本願発明の要旨を逸脱しない範囲で種々変更、変形して実施することが出来る。
【産業上の利用可能性】
【００７４】
本発明は、ホームネットワーク内に保存したコンテンツを再生するシステムに利用可能である。
【符号の説明】
【００７５】
１０１    ＨＧＷ
１０２    インターネット網
１０３    ホームネットワーク
１０４    ＳＴＢ
１０５    ＤＶＤレコーダ
１０６    スマートフォン
１０７    ＮＡＳ
１０８    スマートフォン
２０１    ＨＧＷ
２０２    インターネット網
２０３    ホームネットワーク
２０４    ＳＴＢ
２０５    ＤＶＤレコーダ
２０６    スマートフォン
２０７    スマートフォン
２１１    ＤＭＳ
２１４    ＤＭＰ
２１５    ＤＭＳ
２１６    ＤＭＰ
２１７    アプリケーション
２２１    ＤＬＮＡ制御手段
２２４    ＤＬＮＡ制御手段
２２７    ＤＬＮＡ制御手段
２３１    ＤＭＳ制御手段
２３４    ＤＭＰ制御手段
２３７    ＤＭＰ制御手段
２４１    記憶部
２４４    再生情報管理制御手段
２４７    再生情報管理制御手段
６０１    ＨＧＷ
６０２    インターネット網
６０３    ホームネットワーク
６０４    ＳＴＢ
６０５    ＤＶＤレコーダ
６０６    スマートフォン
６０７    スマートフォン
６１１    ＤＭＳ
６１４    ＤＭＰ
６１５    ＤＭＳ
６１６    ＤＭＰ
６１７    アプリケーション
【図１】
2019054530.tif 000003
【図２】
2019054530.tif 000004
【図３】
2019054530.tif 000005
【図４】
2019054530.tif 000006
【図５】
2019054530.tif 000007
【図６】
2019054530.tif 000008